(57)【要約】【課題】プレゼンテーションビデオの抽出、分類、保存、ならびに補充を可能とする。【解決手段】  メディアシステムはプレゼンテーションビデオを伝播するビデオ信号を受信する。メディアシステムは、そのビデオ信号を処理して、プレゼンテーションのスライド用画像を生成する。メディアシステムは、その後、画像からテキストを抽出して、画像を分類してそれをデータベースに保存するためにテキストとその他の特徴を用いる。さらに、システムは、プレゼンテーション視聴者によるプレゼンテーションへのフィードバックを可能にして、プレゼンテーションを補完するのに用いられる。【選択図】  図１
2006127518.tif 000002
【特許請求の範囲】
【請求項１】
ビデオプレゼンテーションを取り込むための方法であって、
ビデオ情報を備え、１つのプレゼンテーションに関連する信号を収集する工程と、
少なくとも１つの画像を前記信号から生成する工程と、
前記画像について１つ以上の分類基準を決定する工程と、
前記画像を前記分類基準に関連付けて保存する工程を含む方法。
【請求項２】
画像はプレゼンテーションにおけるスライドを含む請求項１に記載の方法。
【請求項３】
前記分類基準は前記画像内にテキストを含む請求項１に記載の方法。
【請求項４】
前記分類基準は前記画像の視覚的な特徴を含む請求項１に記載の方法。
【請求項５】
前記分類基準は前記プレゼンテーションが示された時間を含む請求項１に記載の方法。
【請求項６】
前記分類基準はプレゼンテーションが示されたミーティングを含む請求項１に記載の方法。
【請求項７】
検索照会を受信する工程と、
前記プレゼンテーションの内容について、前記検索照会と前記分類基準との間の類似性にしたがってプレゼンテーションの内容を返信する工程をさらに含む請求項１に記載の方法。
【請求項８】
前記画像はＪＰＥＧフォーマットで保存される請求項１に記載の方法。
【請求項９】
前記画像をディスプレイに送信する工程をさらに含む請求項１に記載の方法。
【請求項１０】
前記画像は構造化照会言語データベースに保存される請求項１に記載の方法。
【請求項１１】
前記画像を圧縮する工程をさらに含む請求項１に記載の方法。
【請求項１２】
前記画像を修正する工程をさらに含む請求項１に記載の方法。
【請求項１３】
前記画像を前記プレゼンテーションの視聴者に送信する工程と、
前記画像についての注釈を受け取る工程をさらに含む請求項１に記載の方法。
【請求項１４】
前記注釈を前記画像に関連させて保存する工程をさらに含む請求項１３に記載の方法。
【請求項１５】
分類情報はメタデータを含む請求項１に記載の方法。
【請求項１６】
音声信号を取り込む工程と、
前記音声信号を、前記音声信号が取り込まれる時間とほぼ同時に取り込まれる画像の分類基準に関連させて保存する工程をさらに含む請求項１に記載の方法。
【請求項１７】
音声信号を取り込む工程と、
前記音声信号の特徴を抽出する工程と、
前記音声信号を抽出される特徴に関連付けて保存する工程をさらに含む請求項１に記載の方法。
【請求項１８】
前記信号から画像を生成する工程が、前記信号について内容の種類を判定する工程を含む請求項１に記載の方法。
【請求項１９】
画像についてのオーバーレイを受け取る工程と、
オーバーレイを画像に関連付けて保存する工程をさらに含む請求項１に記載の方法。
【請求項２０】
マシン読出し可能なプログラムであって、命令を含み、該命令がプロセッサによって実行されるときシステムに動作を行わしめ、該動作が、
ビデオ情報を含むと共に１つのプレゼンテーションに関連する信号を収集する動作と、
少なくとも１つの画像を前記信号から生成する動作と、
前記画像について１つ以上の分類基準を決定する動作と、
前記画像を前記分類基準に関連付けて保存する動作と、を含むことを特徴とするプログラム。
【請求項２１】
前記画像は前記プレゼンテーションにおけるスライドを含む請求項２０に記載のプログラム。
【請求項２２】
前記分類基準は前記画像内のテキストを含む請求項２０に記載のプログラム。
【請求項２３】
前記分類基準は前記画像の視覚的な特徴を含む請求項２０に記載のプログラム。
【請求項２４】
前記分類基準は前記プレゼンテーションが示された時間を含む請求項２０に記載のプログラム。
【請求項２５】
更に命令を含み、該命令がプロセッサによって実行されるときシステムに動作を行わしめ、該動作が、
検索照会を受信する動作と、
前記プレゼンテーションの内容について、前記検索照会と分類基準との間の類似性にしたがってプレゼンテーションの内容を返信する動作と、を含む請求項２０に記載のプログラム。
【請求項２６】
前記画像はＪＰＥＧフォーマットで保存される請求項２０に記載のプログラム。
【請求項２７】
前記画像は構造化照会言語データベースに保存される請求項２０に記載のプログラム。
【請求項２８】
更に命令を含み、該命令がプロセッサによって実行されるときシステムに動作を行わしめ、該動作が、
前記画像を前記プレゼンテーションの視聴者に送信する工程と、
前記画像についての注釈を受け取る工程と、を含む請求項２０に記載のプログラム。
【請求項２９】
更に命令を含み、該命令がプロセッサによって実行されるとき、システムに、前記画像に関連させて前記注釈を保存させる請求項２８に記載のプログラム。
【請求項３０】
前記分類情報はメタデータを含む請求項２０に記載のプログラム。
【請求項３１】
更に命令を含み、該命令がプロセッサによって実行されるときシステムに動作を行わしめ、該動作が、
音声信号を取り込む工程と、
前記音声信号を、前記音声信号が取り込まれる時間とほぼ同時に取り込まれる画像の分類基準に関連させて保存する工程と、を含む請求項２０に記載のプログラム。
【請求項３２】
更に命令を含み、該命令がプロセッサによって実行されるときシステムに動作を行わしめ、該動作が、
前記画像についてのオーバーレイを受け取る動作と、
前記オーバーレイを前記画像に関連付けて保存する動作と、
を含む請求項２０に記載のプログラム。
【請求項３３】
前記信号から画像を生成するように指示する命令は、前記信号について内容の種類を判定するよう指示する命令を含む請求項２０に記載のプログラム。
【請求項３４】
前記分類基準はプレゼンテーションが示されたミーティングを含む請求項２０に記載のプログラム。
【請求項３５】
更に命令を含み、該命令がプロセッサによって実行されるとき、システムに、前記画像をディスプレイに送信させる請求項２０に記載のプログラム。
【請求項３６】
更に命令を含み、該命令がプロセッサによって実行されるとき、システムに、前記画像を修正させる請求項２０に記載のプログラム。
【請求項３７】
更に命令を含み、該命令がプロセッサによって実行されるときシステムに動作を行わしめ、該動作が、
音声信号を取り込む動作と、
前記音声信号の特徴を抽出する動作と、
前記抽出された特徴に関連付けて前記音声信号を保存する動作と、
を含む請求項２０に記載のプログラム。
【請求項３８】
ビデオプレゼンテーションを保存するためのシステムであって、
画像を保存するデータベースと、
１つのプレゼンテーションに関連するデータ信号を少なくとも１つの画像に変換するよう構成された画像取り込みモジュールと、
更新モジュールと、を含み、
前記更新モジュールが、前記画像について１つ以上の分類基準を決定し、前記画像を前記分類基準に関連付けて前記データベースに保存するよう構成されたことを特徴とするシステム。
【請求項３９】
前記画像はプレゼンテーションにおけるスライドを含む請求項３８に記載のシステム。
【請求項４０】
前記分類基準は前記画像内のテキストを含む請求項３８に記載のシステム。
【請求項４１】
前記分類基準は前記画像の視覚的な特徴を含む請求項３８に記載のシステム。
【請求項４２】
前記分類基準は前記プレゼンテーションが示された時間を含む請求項３８に記載のシステム。
【請求項４３】
前記更新モジュールはさらに、検索照会を受信し、
前記プレゼンテーションの内容について、前記検索照会と分類基準との間の類似性にしたがってプレゼンテーションの内容を返信するよう構成されている請求項３８に記載のシステム。
【請求項４４】
前記画像はＪＰＥＧフォーマットで保存される請求項３８に記載のシステム。
【請求項４５】
画像は構造化照会言語データベースに保存される請求項３８に記載のシステム。
【請求項４６】
前記更新モジュールはさらに、前記画像を前記プレゼンテーションの視聴者に送信し、
前記画像についての注釈を受け取るように構成されている請求項３８に記載のシステム。
【請求項４７】
前記更新モジュールは、さらに注釈を前記画像に関連させて保存するように構成されている請求項４６に記載のシステム。
【請求項４８】
前記分類情報はメタデータを含む請求項３８に記載のシステム。
【請求項４９】
画像取り込みモジュールは、さらに音声信号を取り込み、
前記音声信号を、前記音声信号が取り込まれる時間とほぼ同時に取り込まれる画像の分類基準に関連させて保存するように構成されている請求項３８に記載のシステム。
【請求項５０】
前記更新モジュールはさらに画像についてのオーバーレイを受け取り、
前記オーバーレイを前記画像に関連付けて保存するように構成されている請求項３８に記載のシステム。
【請求項５１】
前記信号を変換する際、画像取り込みモジュールは前記信号について内容の種類を判定する請求項３８に記載のシステム。
【請求項５２】
前記分類基準は、プレゼンテーションが示されたミーティングを含む請求項３８に記載のシステム。
【請求項５３】
前記画像取り込みモジュールはさらに画像をディスプレイに送信するように構成されている請求項３８に記載のシステム。
【請求項５４】
前記更新モジュールは、さらに、前記画像を修正するように構成されている請求項３８に記載のシステム。
【請求項５５】
前記画像取り込みモジュールはさらに音声信号を取り込み、
前記音声信号の特徴を抽出し、
前記抽出された特徴に関連付けて前記音声信号を保存するように構成されている請求項３８に記載のシステム。
【請求項５６】
ビデオプレゼンテーションを取り込むための方法であって、
ビデオ情報を含むと共に１つのプレゼンテーションに関連する信号を収集する工程と、
前記信号からメディアの種類を判定する工程と、
該メディアの種類を判定する工程に応じて、画像を前記信号から生成する工程と、
前記画像から１つ以上のメタデータを抽出する工程と、
前記画像を前記メタデータに関連付けて保存する工程を含む方法。
【請求項５７】
１つ以上のメタデータの項目を抽出する工程は、前記画像からテキストを抽出する工程を含む請求項５６に記載の方法。
【請求項５８】
メディアの種類を判定する工程は、メディアの種類がスライドを含むと判定する工程を含む請求項５６に記載の方法。
【請求項５９】
メディアの種類を判定する工程は、メディアの種類がビデオストリームを含むと判定する工程を含む請求項５６に記載の方法。
【請求項６０】
ビデオプレゼンテーションを取り込むための方法であって、
ビデオ情報を備むと共に１つのプレゼンテーションに関連する信号を収集する工程と、
前記信号内のプレゼンテーション要素が静的又は動的であるかを判定する工程と、
前記プレゼンテーション要素が静的であるとき、該プレゼンテーション要素から画像を生成する工程と、
前記プレゼンテーション要素が動的であるとき、該プレゼンテーション要素からビデオクリップを生成する工程と、
前記プレゼンテーション要素に関連する１つ以上の特徴を判定する工程と、を含むことを特徴とする方法。
【請求項６１】
前記プレゼンテーション要素が動的であるとき、前記ビデオクリップを前記特徴に関連付けて保存する工程をさらに含む請求項６０に記載の方法。
【請求項６２】
前記プレゼンテーション要素が静的であるとき、前記画像を前記特徴に関連付けて保存する工程をさらに含む請求項６０に記載の方法。
【請求項６３】
前記画像は、前記プレゼンテーションにおけるスライドに対応する請求項６０に記載の方法。
【請求項６４】
前記ビデオクリップは、前記プレゼンテーション内で示されるビデオに対応する請求項６０に記載の方法。
【請求項６５】
ビデオクリップはプレゼンテーション内で示されるソフトウェアプリケーションとの相互作用に対応する請求項６０に記載の方法。
【請求項６６】
前記特徴は前記画像又はビデオクリップ内のテキストを含む請求項６０に記載の方法。
【請求項６７】
前記特徴は前記画像又はビデオクリップの視覚的特徴を含む請求項６０に記載の方法。
【請求項６８】
前記特徴は前記画像又はビデオクリップが示される時間を含む請求項６０に記載の方法。
【請求項６９】
前記特徴は画像又はビデオクリップの保存後に判定される請求項６０に記載の方法。
【請求項７０】
プレゼンテーション内容について検索照会を受信する工程と、
前記検索照会と前記プレゼンテーション要素の特徴との類似性に応じて前記プレゼンテーション要素を返信する工程をさらに含む請求項６０に記載の方法。
【請求項７１】
前記プレゼンテーション要素が静的又は動的かに応じて、前記プレゼンテーション要素についての分類を生成する工程をさらに含む請求項６０に記載の方法。
【請求項７２】
プレゼンテーション内容について検索照会を受信する工程と、
前記検索照会と前記プレゼンテーション内容の分類との類似性に応じて前記プレゼンテーション内容を返信する工程をさらに含む請求項７１に記載の方法。
【請求項７３】
前記画像はＪＰＥＧフォーマットで保存される請求項６０に記載の方法。
【請求項７４】
前記ビデオクリップはＭＰＥＧフォーマットで保存される請求項６０に記載の方法。
【請求項７５】
前記画像とビデオクリップは構造化照会言語データベースに保存される請求項６０に記載の方法。
【請求項７６】
表示のために前記信号を送信する工程をさらに含む請求項６０に記載の方法。
【請求項７７】
表示のために前記画像又はビデオクリップを送信する工程をさらに含む請求項６０に記載の方法。
【請求項７８】
前記プレゼンテーション要素についての補充情報を受け取る工程と、
前記プレゼンテーション要素と前記補充情報を含む信号を送信する工程をさらに含む請求項６０に記載の方法。
【請求項７９】
前記補充情報を前記画像又はビデオクリップに関連付けて保存する工程をさらに含む請求項７８に記載の方法。
【請求項８０】
前記プレゼンテーション要素に関連する音声信号を取り込む工程と、
前記音声信号を保存する工程をさらに含む請求項６０に記載の方法。
【請求項８１】
プレゼンテーション要素についての検索照会を受信する工程と、
前記検索照会と画像又はビデオクリップの特徴との間の類似性にしたがって前記画像又はビデオクリップを返信する工程と、
前記画像又はビデオクリップに関連する音声信号を返信する工程をさらに含む請求項８０に記載の方法。
【請求項８２】
前記特徴は前記画像又はビデオクリップ内のテキストを含む請求項６０に記載の方法。
【請求項８３】
前記特徴は前記画像又はビデオクリップの視覚的特徴を含む請求項６０に記載の方法。
【請求項８４】
前記特徴は前記プレゼンテーションが示された時間を含む請求項６０に記載の方法。
【請求項８５】
前記プレゼンテーション要素のサイズを縮小する工程と、
前記プレゼンテーション要素を送信する工程をさらに含む請求項６０に記載の方法。
【請求項８６】
プレゼンテーション要素についての補充情報を受け取る工程と、
どのプレゼンテーション要素を返信するのかに関する検索要求を引き出す工程と、
前記プレゼンテーション要素と共に前記補充情報を返信する工程と、をさらに含む請求項６０に記載の方法。
【請求項８７】
前記プレゼンテーション要素についての補充情報を受け取る工程と、
検索照会を受信する工程と、
前記検索照会と前記補充情報との類似性に応じて前記補充情報を返信する工程をさらに含む請求項６０に記載の方法。
【請求項８８】
ビデオ情報を含む信号を収集する工程は、
前記信号がプレゼンテーション要素を有すると判定する工程と、
信号がプレゼンテーション要素を有するとの判定に応じて、前記プレゼンテーション要素が静的又は動的かを判定する工程を開始する請求項６０に記載の方法。
【請求項８９】
前記信号がプレゼンテーション要素をもはや有していないと判定する工程と、
前記信号がプレゼンテーション要素をもはや有していないとの判定に応じて、プレゼンテーション要素が静的又は動的かを判定する工程を中止する工程をさらに含む請求項６０に記載の方法。
【発明の詳細な説明】
【技術分野】
【０００１】
本発明は、一般的には画像の処理と保存に関する。より具体的には、本発明は、ビデオのプレゼンテーションから情報を引き出すと共に、後で使用するためにそのビデオプレゼンテーションを保存することに関するものである。即ち、ビデオプレゼンテーションを取り込むための方法、マシン読出し可能なプログラムであって、命令を含み、該命令がプロセッサによって実行されるときシステムに一連の動作を行わしめるプログラム、及び、ビデオプレゼンテーションを保存するためのシステムに関する。
【背景技術】
【０００２】
現代のビジネス環境においては、情報の転送と交換により重きがおかれるようになっている。現在、Ｍｉｃｒｏｓｏｆｔ  Ｐｏｗｅｒ  Ｐｏｉｎｔ（マイクロソフトパワーポイント）などのコンピュータプレゼンテーションソフトウェアを用いたスライドによるプレゼンテーション、ウェブによるプレゼンテーション、ビデオプレゼンテーションが現代ビジネス環境の中心をなしている。しかし、情報を他人に提示するのには表面上有効であることが多い反面、このようなソフトウェアには厳しい制限が設けられている。
【０００３】
まず、プレゼンテーションに用いられるメディア（スライド、ビデオ、オーディオなど）は検索又はアクセスが容易なフォーマットで保存されていることがめったにない。よって、これらのプレゼンテーションのプレゼンテーターと受取手が内容を検索することが困難であることが多い。これらのプレゼンテーションは、集めたある種の情報が利用可能な唯一の広くアクセス可能な文書である場合があり、このような場合に上記の制限は特に問題となる。又、こうしたプレゼンテーションソフトウェアは、通常プレゼンテーションの視聴者からの入力を要請することができず、プレゼンテーションを受動的な経験に制限してしまう。
【０００４】
これらの問題に取り組む試みは通常、プレゼンテーションソフトウェアへの追加又はその修正が中心であった。しかしながら、こうした修正はアプリケーションごとに行わなければならず、視聴者側の入力を要請する場合には、通常視聴者側システムを構成しなければならない。
【０００５】
プレゼンテーションの保存、組織化、ならびに修正のための改善されたシステムが求められている。
【０００６】
なお、従来技術の具体例として、下記の特許文献１〜３が挙げられる。特許文献１〜３は、ＰＣ等から取り出した画像等の情報をＯＨＰ等に単にプレゼンテーションすることを提案するものである。
【特許文献１】特開２００４−３０９６９０
【特許文献２】特開平８−１７９７２９
【特許文献３】特許第２８５０３９４号
【発明の開示】
【発明が解決しようとする課題】
【０００７】
上記事実を考慮し、本発明は、プレゼンテーションビデオの改善された抽出、分類、保存、及び補充を可能にすることが目的である。
【課題を解決するための手段】
【０００８】
本発明の第１の特徴において、ビデオプレゼンテーションを取り込むための方法は、ビデオ情報を備え、１つのプレゼンテーションに関連する信号を収集する工程と、少なくとも１つの画像を前記信号から生成する工程と、前記画像について１つ以上の分類基準を決定する工程と、前記画像を前記分類基準に関連付けて保存する工程を含むことを特徴としている。
【０００９】
本発明の第２の特徴において、マシン読出し可能なプログラムが、命令を含み、該命令がプロセッサによって実行されるときシステムに動作を行わしめ、該動作が、ビデオ情報を含むと共に１つのプレゼンテーションに関連する信号を収集する動作と、少なくとも１つの画像を前記信号から生成する動作と、前記画像について１つ以上の分類基準を決定する動作と、前記画像を前記分類基準に関連付けて保存する動作と、を含むことを特徴とする。
【００１０】
本発明の第３の特徴において、ビデオプレゼンテーションを保存するためのシステムが、画像を保存するデータベースと、１つのプレゼンテーションに関連するデータ信号を少なくとも１つの画像に変換するよう構成された画像取り込みモジュールと、更新モジュールと、を含み、前記更新モジュールが、前記画像について１つ以上の分類基準を決定し、前記画像を前記分類基準に関連付けて前記データベースに保存するよう構成されたことを特徴とする。
【００１１】
本発明の第４の特徴において、ビデオプレゼンテーションを取り込むための方法が、ビデオ情報を含むと共に１つのプレゼンテーションに関連する信号を収集する工程と、前記信号からメディアの種類を判定する工程と、該メディアの種類を判定する工程に応じて、画像を前記信号から生成する工程と、前記画像から１つ以上のメタデータを抽出する工程と、前記画像を前記メタデータに関連付けて保存する工程を含む。
【００１２】
本発明の第５の特徴において、ビデオプレゼンテーションを取り込むための方法が、ビデオ情報を備むと共に１つのプレゼンテーションに関連する信号を収集する工程と、前記信号内のプレゼンテーション要素が静的又は動的であるかを判定する工程と、前記プレゼンテーション要素が静的であるとき、該プレゼンテーション要素から画像を生成する工程と、前記プレゼンテーション要素が動的であるとき、該プレゼンテーション要素からビデオクリップを生成する工程と、前記プレゼンテーション要素に関連する１つ以上の特徴を判定する工程と、を含むことを特徴とする。
【００１３】
本発明の第６の特徴において、画像はプレゼンテーションにおけるスライドを含む。本発明の第７の特徴において、前記分類基準は前記画像内にテキストを含む。  本発明の第８の特徴において、前記分類基準は前記画像の視覚的な特徴を含む。本発明の第９の特徴において、前記分類基準は前記プレゼンテーションが示された時間を含む。本発明の第１０の特徴において、前記分類基準はプレゼンテーションが示されたミーティングを含む。本発明の第１１の特徴において、検索照会を受信する工程／動作と、前記プレゼンテーションの内容について、前記検索照会と前記分類基準との間の類似性にしたがってプレゼンテーションの内容を返信する工程／動作をさらに含む。本発明の第１２の特徴において、前記画像はＪＰＥＧフォーマットで保存される。本発明の第１３の特徴において、前記画像をディスプレイに送信する工程をさらに含む。本発明の第１４の特徴において、前記画像又はビデオクリップは構造化照会言語データベースに保存される。本発明の第１５の特徴において、前記画像を圧縮する工程をさらに含む。本発明の第１６の特徴において、前記画像を修正する工程をさらに含む。本発明の第１７の特徴において、前記画像を前記プレゼンテーションの視聴者に送信する工程／動作と、前記画像についての注釈を受け取る工程／動作をさらに含む。本発明の第１８の特徴において、前記注釈を前記画像に関連させて保存する工程をさらに含む。本発明の第１９の特徴において、分類情報はメタデータを含む。本発明の第２０の特徴において、音声信号を取り込む工程と、前記音声信号を、上記音声信号が取り込まれる時間とほぼ同時に取り込まれる画像の分類基準に関連させて保存する工程をさらに含む。本発明の第２１の特徴において、音声信号を取り込む工程／動作と、前記音声信号の特徴を抽出する工程／動作と、前記音声信号を抽出される特徴に関連付けて保存する工程／動作をさらに含む。本発明の第２２の特徴において、前記信号から画像を生成する工程／動作が、前記信号について内容の種類を判定する工程／動作を含む。本発明の第２３の特徴において、画像についてのオーバーレイを受け取る工程／動作と、オーバーレイを画像に関連付けて保存する工程／動作をさらに含む。本発明の第２４の特徴において、メディアの種類を判定する工程は、メディアの種類がビデオストリームを含むと判定する工程を含む。本発明の第２５の特徴において、前記プレゼンテーション要素が動的であるとき、前記ビデオクリップを前記特徴に関連付けて保存する工程をさらに含む。本発明の第２６の特徴において、前記プレゼンテーション要素が静的であるとき、前記画像を前記特徴に関連付けて保存する工程をさらに含む。  本発明の第２７の特徴において、前記画像は、前記プレゼンテーションにおけるスライドに対応する。本発明の第２８の特徴において、前記ビデオクリップは、前記プレゼンテーション内で示されるビデオに対応する。本発明の第２９の特徴において、ビデオクリップはプレゼンテーション内で示されるソフトウェアプリケーションとの相互作用に対応する。本発明の第３０の特徴において、前記特徴は前記画像又はビデオクリップ内のテキストを含む。本発明の第３１の特徴に��いて、前記特徴は前記画像又はビデオクリップの視覚的特徴を含む。本発明の第３２の特徴において、前記特徴は前記画像又はビデオクリップが示される時間を含む。本発明の第３３の特徴において、前記特徴は画像又はビデオクリップの保存後に判定される。  本発明の第３４の特徴において、前記プレゼンテーション要素が静的又は動的かに応じて、前記プレゼンテーション要素についての分類を生成する工程をさらに含む。      
【００１４】
本発明の第３５の特徴において、前記ビデオクリップはＭＰＥＧフォーマットで保存される。本発明の第３６の特徴において、表示のために前記信号を送信する工程をさらに含む。本発明の第３７の特徴において、表示のために前記画像又はビデオクリップを送信する工程をさらに含む。本発明の第３８の特徴において、前記プレゼンテーション要素についての補充情報を受け取る工程と、前記プレゼンテーション要素と前記補充情報を含む信号を送信する工程をさらに含む。本発明の第３９の特徴において、前記補充情報を前記画像又はビデオクリップに関連付けて保存する工程をさらに含む。本発明の第４０の特徴において、前記プレゼンテーション要素に関連する音声信号を取り込む工程と、前記音声信号を保存する工程をさらに含む。  本発明の第４１の特徴において、プレゼンテーション要素についての検索照会を受信する工程と、前記検索照会と画像又はビデオクリップの特徴との間の類似性にしたがって前記画像又はビデオクリップを返信する工程と、前記画像又はビデオクリップに関連する音声信号を返信する工程をさらに含む。本発明の第４２の特徴において、前記特徴は前記画像又はビデオクリップ内のテキストを含む。本発明の第４３の特徴において、前記特徴は前記画像又はビデオクリップの視覚的特徴を含む。  本発明の第４４の特徴において、前記特徴は前記プレゼンテーションが示された時間を含む。本発明の第４５の特徴において、前記プレゼンテーション要素のサイズを縮小する工程と、前記プレゼンテーション要素を送信する工程をさらに含む。本発明の第４６の特徴において、プレゼンテーション要素についての補充情報を受け取る工程と、どのプレゼンテーション要素を返信するのかに関する検索要求を引き出す工程と、前記プレゼンテーション要素と共に前記補充情報を返信する工程と、をさらに含む。本発明の第４７の特徴において、前記プレゼンテーション要素についての補充情報を受け取る工程と、検索照会を受信する工程と、前記検索照会と前記補充情報との類似性に応じて前記補充情報を返信する工程をさらに含む。本発明の第４８の特徴において、ビデオ情報を含む信号を収集する工程は、前記信号がプレゼンテーション要素を有すると判定する工程と、信号がプレゼンテーション要素を有するとの判定に応じて、前記プレゼンテーション要素が静的又は動的かを判定する工程を開始する。本発明の第４９の特徴において、前記信号がプレゼンテーション要素をもはや有していないと判定する工程と、前記信号がプレゼンテーション要素をもはや有していないとの判定に応じて、プレゼンテーション要素が静的又は動的かを判定する工程を中止する工程をさらに含む。
【発明の効果】
【００１５】
以上説明したように、本発明によれば、プレゼンテーションビデオの改善された抽出、分類、保存、ならびに補充が可能となる。メディアシステムはプレゼンテーションビデオを伝播する信号を受信する。メディアシステムは、信号を有して、プレゼンテーション用スライドのための画像を形成する。その後、画像からテキストを抽出し、画像の分類、データベースへの保存を行うためにテキストならびにその他の特徴を用いる。さらに、上記メディアシステムにより、プレゼンテーションの視聴者がプレゼンテーションに対するフィードバックを行い、これをプレゼンテーションの補充に用いることが可能となる。
【発明を実施するための最良の形態】
【００１６】
本発明の実施形態により、プレゼンテーションビデオの抽出、分類、保存、及び補充が可能になる。メディアシステムは、プレゼンテーションビデオを伝播する信号を受信する。メディアシステムはその信号を処理して、プレゼンテーションのスライド用画像を生成する。その後、画像からテキストやその他の特徴を抽出して、それらを用いて画像の分類とデータベースへの保存を行う。
【００１７】
本発明のシステムは、プレゼンテーションの検出、取り込み、解釈、ならびに保存のための処理を自動的に行う。該システムは、プレゼンテーションの開始を検出できると共に、内容が静的か動的かを検出して、該内容が静的か動的であるかに応じて分類、保存する処理を開始可能である。又、組織化と配信が容易になるように内容を修正し、その内容を独自あるいは修正フォーマットで視聴者に配信し、プレゼンテーションがもう検出されなくなると動作を終了することも可能である。上記工程は、動作の開始と終了というユーザからの直接与えられる命令がなくても、あるいはユーザによるメディアのソート、分離、組織化がなくても実行できる。
【００１８】
なお、本発明のシステムは、入力手段、出力手段、プロセッサ及び記憶手段を有するコンピュータを含み、該コンピュータは、これを使用して本発明の方法を実施できるように構成される。具体的には、該コンピュータは、例えば、ビデオファイル等のデータやユーザの指示情報等を入力する入力部、プロセッサによる実行の際の作業領域を形成すると共にプログラムや処理対象としてのデータを格納する記憶部、処理内容や処理結果を表示画面上に表示する表示部（ディスプレイ）、及びデータを通信網などに出力する出力部などを含む。プロセッサは、プログラム（ソフトウェア）を読み出し実行することにより、処理対象のデータ等に対し当該プログラムの手順に対応した処理をする。
【００１９】
図１は、コンピュータシステム、メディアシステム、表示装置の間の相互作用についての１つの実施形態を示す構成図である。ラップトップコンピュータ、デスクトップコンピュータ、タブレットシステム、あるいはその他あらゆる種類のコンピュータなどのコンピュータシステム１０５がビデオスプリッタ１１０に接続される。コンピュータシステム１０５は、出力ビデオ信号をスプリッタ１１０に送信して、スプリッタ１１０がビデオ信号を分割（分配）して、それをメディアシステム１１５と表示装置１２０に送信する。ビデオ信号はデジタル信号でもアナログ信号のどちらでもよく、任意の数の信号フォーマットを有している。ビデオ信号は、ヴァーチャルネットワークコンピューティング（ＶＮＣ）信号などのビデオ情報を含むデータ信号であってもよい。スプリッタ１１０はさらに、データ信号をビデオ信号に変換する。
【００２０】
表示装置１２０は、ビデオ出力をプレゼンテーション視聴者に表示するために用いられる装置である。表示装置は、液晶ディスプレイ（ＬＣＤ）プロジェクタ、アナログプロジェクタ、陰極線管（ＣＲＴ）ディスプレイ、ＬＣＤディスプレイ、あるいはその他任意の種類のディスプレイであってよい。
【００２１】
メディアシステム１１５は、スプリッタ１１０からビデオ出力を受信し、それを用いてプレゼンテーション用オーディオ及びビデオメディアを生成して、そのメディアから関連情報を抽出する。いくつかの実施形態では、メディアシステム１１５は、従来の専用ソフトウェアを用いるコンピュータであり、別の実施形態では、メディアシステム１１５は、メディアシステムとして機能するように特別に構成されるコンピュータである。いくつかの実施形態では、メディアシステムは、マイクやその他の入力を通して音声を集めるように構成されている。その音声は、プレゼンテーション画像とビデオに関連させて保存することができる。
【００２２】
図２は、コンピュータシステム、メディアシステム、表示装置の間の相互作用の別の実施形態を示す構成図である。本実施形態において、メディアシステム１１５は、コンピュータシステムと表示装置１２０の間に置かれる。この実施形態において、メディアシステムは、ビデオ信号を処理して、スライド画像を生成し、生成したスライド画像を表示装置１２０に表示する。メディアシステム１１５は又、画像のオーバーレイと補充、あるいはその他の修正を受け取り、それらを表示装置１２０に出力するようにしてもよい。あるいは、オーバーレイをプレゼンテーションのテキストを自動翻訳する翻訳プログラムなどの自動エージェントによって生成することも可能である。さらに、メディアシステム１１５は、入力ビデオ信号が修正されずに出力装置１２０に直接与えられる「通過」モードを有することもできる。
【００２３】
図３は、本発明の１つの実施形態にかかるメディアシステム１１５のより詳しい構成図である。メディアシステム１１５は、ビデオ取り込みモジュール３０５、画像サンプリングモジュール３１０、画像コンバータ３１５、更新モジュール３２０、テキスト抽出モジュール３２５、データベース３３０、ならびに入出力モジュール３３５を有する。これらの構成部品は、ハードウエア、ソフトウェア、ファームウェアの任意の組み合わせにより実行するようにしてもよい。
【００２４】
ビデオ取り込みモジュール３０５は、スプリッタ１１０又はコンピュータシステム１０５からビデオ信号を受信する。画像サンプリングモジュール３１０は、ビデオ取り込みモジュールが取り込んだビデオからスライド画像を生成する。１つの実施形態において、画像サンプリングモジュールは、ある画像が所定の時間連続して通信されたかどうかを検出し、その場合、その画像を単一のスライドとして処理する。あるいは、連続ビデオ全体を記録する。サンプリングモジュール３１０が、画像がスライドであると判定すると、画像用ビットマップを生成する。メディアがビデオであると判定すると、キャプチャ全体、又はビデオを含むウィンドウのセグメントのいずれかのビデオ記録が取り込まれる。
【００２５】
画像コンバータ３１５は、ビットマップをＪＰＥＧやその他のフォーマットなどよりサイズ的に効率の良いフォーマットに任意に変換してもよい。更新モジュール３２０は、メディアの分類情報を生成し、そのメディアを分類情報とともにデータベース３３０に保存するよう構成される。いくつかの実施形態では、更新モジュール３２０がテキスト抽出モジュール３２５をまず利用して、テキスト抽出モジュール３２５が画像内のテキストを検出し、そのテキストを更新モジュールに与える。
【００２６】
分類情報として、プレゼンテーション用の日付／時間情報と、特定のプレゼンテーションを示すための識別子と、画像の特徴と、プレゼンター又は視聴者から受信する補充情報及び画像内のテキストが挙げられる。分類情報は、プレゼンテーション記録後に作成される場合と、プレゼンテーションとリアルタイム（実時間）で作成される場合とがある。
【００２７】
入出力モジュール３３５を用いて、メディアシステム１１５を構成するためのインタフェースを生成する。インタフェースは、メディアシステム１１５自体でのコンソールインタフェース、メディアシステムに接続されるキーボードやモニタなどの入出力装置を介してアクセスされるグラフィカルユーザインタフェース、又はネットワーク上でアクセスされるウェブインタフェースでよい。又、入出力モジュール３３５を用いて、オーバーレイとビデオセグメントをメディアシステム１１５に送信し、メディアシステム１１５がそのオーバーレイを画像修正に用いる。ある実施形態において、入出力モジュールは、メディアシステム１１５上で作動するウェブサーバからなる。ウェブサーバでインタフェースページを見ることによって、プレゼンテーションを視聴者はプレゼンテーション用オーバーレイとして質問とコメントを送信することができる。ウェブサーバを、データベース３３０に保存される画像についての検索照会を送信するためのインタフェースとして用いることもできる。
【００２８】
図４は、保存したメディアについての分類情報４００の１つの実施形態を示す構成図である。分類情報４００は、メタデータ４０２と分類情報４１８とを有する。メタデータ４０２は、メディアに関連付けて保存され、メディアが初めて取り込まれるときに生成されるのが好ましい。分類情報４１８は、メディアに関連付けて保存することも、あるいは中央に保存することもできる。分類情報４１８は、実時間ではなく、むしろプレゼンテーション後に生成されることが多い。メタデータは、内容情報（内容タイプ又はメディアタイプ）４０５を有する。内容情報は、保存したビデオが単一のスライド画像、連続したビデオを含むビデオクリップ、オーディオ、あるいはその他のメディアからなるのかを示す。
【００２９】
メタデータはテキスト情報４１０を自動的に含む。テキスト情報４１０は、テキスト抽出モジュール３２５によってスライド画像から抽出されたテキストを含む。その情報には、検索用の代表的ワードとして設計されたテキスト又はある特定のキーワードのすべてを含むことができる。テキスト情報４１０には、スライドにおける特定のテキストの重要性を示す重み又はその他の情報を含めることができる。たとえば、タイトルテキスト又はセクションヘディングを認識して、そのテキストにスライド画像を分類する際により大きな重みを与えるように、テキスト抽出モジュール３２５をプログラムに組み込むことができる。
【００３０】
メタデータは、さらにビデオの特徴４１５を含む。ビデオの特徴は、スライド画像から抽出される画像の特徴を含む。ビデオの特徴は、カラーや特有の形状、又はその他の画像品質を含めることもできる。メタデータはさらに、補充された情報４２５も含む。補充情報には、オーバーレイと、プレゼンター、自動エージェント、あるいは視聴者がプレゼンテーション中に与えるその他の情報が含まれている。
【００３１】
分類情報４１８には、画像が抽出されたプレゼンテーションの識別子が含まれる。又、プレゼンテーションについて時間と日付情報を含めるようにしてもよい。たとえば、ある１つのプレゼンテーションについてのビデオ又はスライドのすべてが、分類情報４１８内では同一の識別子を持つようにしてもよい。さらに、関連付けて分類される１つのミーティング又は日付によって、すべてのプレゼンテーションデータをミーティング又は日付によってグループ分けすることもできる。その他の方法に関連した、プレゼンテーションを関連付けるための人工的な分類を追加することも可能である。
【００３２】
分類情報４００を関連の検索ユーティリティが用いて、送られてくる検索要求に応答してプレゼンテーション内容を検索することも可能である。検索ユーティリティのユーザは、内容又は組織化データ（すなわちプレゼンテーションが示された日時、ミーティングやプレゼンテーションで示された内容）に応じて検索することができ、検索ユーティリティはメディア、完全なプレゼンテーション、又は検索要求に整合するプレゼンテーションのセクションを返送する。
【００３３】
図５は、コンピュータシステムから入力されるプレゼンテーションビデオの処理方法を示すフローチャートである。工程５０５で、メディアシステム１１５は、好ましくはビデオ取り込みモジュール３０５を介してプレゼンテーションビデオ及び／又は音声を受け取る。いくつかの実施形態では、システムは、入力ビデオストリームを解析して、プレゼンテーションを示す特徴を検出することによりプレゼンテーションがいつ開始されたのかを検出することができる。さらに、検出したビデオの特徴によりプレゼンテーションがもう送信されていないことが示された場合、この処理を用いて記録を終了させることもできる。工程５１０で、メディアシステムはプレゼンテーション情報を抽出する。この工程には、どんな種類のメディアが提示されているのかの判定、スライド画像又はビデオストリームのビデオからの抽出、スライド画像のＪＰＥＧへの変換、画像からのテキストの抽出が含まれる。この工程を、図６を参照してさらに詳細に説明する。この工程は、ビデオストリームとオーディオストリームの抽出も含むことができる。さらに、この工程は、容量の変化について音声内容の解析、テキスト抽出へのスピーチを介したワードの検出、その他オーディオの効果的な又は関連する任意の特徴を含むことができる。音声内容を、音声の特徴、同時に検出されるビデオの特徴、又はその両方に応じて分類することができる。
【００３４】
このシステムでは、ビデオ信号から受信される入力を分類して、それにしたがって分類を行うための様々な方法を用いている。通常、システムは所定数の連続フレームを解析して、適切に分類する。１つの実施形態では、システムは、所定時間以上の間ビデオフレームが変化していないことを検出することで、スライドやその他の安定したプレゼンテーションを検出する。
【００３５】
ビデオを同様な方法で検出することもできる。１つの実施形態では、システムは一連の連続するフレーム間の差異を演算する。システムは、フレームが常に変化している（連続フレーム間の差異がゼロでない）一連のフレーム内領域があるかどうかを確認する。連続して変化する領域を見つけると、システムはビデオクリップが作動していると判定する。別の実施形態において、システムは、変化していないフレーム区間を切り取る。さらに別の実施形態においては、フレーム全体が切り取られる。
【００３６】
工程５１５で、ビデオ、スライド、あるいは音声を含めることができるメディアが、図４のプレゼンテーション情報に関連付けて保存される。工程５２０で、プレゼンテーション情報にオーバーレイが補充される。このオーバーレイは、プレゼンター、自動エージェント、あるいは視聴者から、入出力モジュールが生成するウェブサーバを介して受信することができる。１つの実施形態で、プレゼンターはネットワークインタフェースを介して視聴者から質問を受け取ることができる。その質問はスライド画像にオーバーレイすることができる。工程５２０で、補充後の画像が表示装置１２０に出力される。
【００３７】
図６は、ビデオ入力を分類、保存するための方法を示すフローチャートである。工程６０５で、システムはメディア入力を受け取る。１つの実施形態では、メディア入力は、ビデオ取り込みモジュール３０５を介して受け取られる。工程６１０で、画像サンプリングモジュール３１０がビデオストリームから内容を抽出する。工程６１２で、画像サンプリングモジュール３１０はその内容の種類を判定する。たとえば、画像のある部分が連続して変化し、連続セグメントとして保存されている場合は、ビデオクリップであると判定される。１つの実施形態で、画像サンプリングモジュール３１０は、所定時間の間連続して表示される画像があるかをチェックし、その画像を静的画像と指定し、それらの画像についてビットマップを生成する。その他の基準も同様に適用できる。１つの実施形態では、画像内の任意のテキストのフォントサイズを用いる。この場合、テキストが大きければ大きいほど、画像がスライドである可能性が高いからである。この工程中、画像サンプリングモジュールがメディアストリームから音声を取り出し、その音声を、同時に取り込まれるビデオ又は画像に関連付けて保存することもできる。
【００３８】
工程６１５で、画像コンバータ３１５は、内容を、画像であればＧＩＦ、ＪＰＥＧ、ビデオであればＭＰＥＧなどのより簡潔なフォーマットに変換する。この工程は任意で、いくつかの実施形態では、画像は非圧縮形状で保存される。工程６２０で、更新モジュール３２０は、データベース３３０内に新たなエントリを生成する。エントリは、メディアとビデオの特徴４１５に関する内容の種類４０５などの最初の分類情報とともに生成される。
【００３９】
工程６２５で、更新モジュール３２０は、画像又はビデオからテキストを抽出するためにテキスト抽出モジュール３２５を用いる。テキストには、スライド内のあるテキストの重要度を示す重みやその他の情報を含めることができる。たとえば、テキスト抽出モジュール３２５を、タイトルテキストあるいはあるセクションのヘディングを認識して、内容を分類する際により大きな重要度をそのテキストに与えるようプログラム化することができる。工程６３０で、内容がデータベース３３０に保存される。この工程後に、抽出されたテキストとその他いかなる補充情報の追加も行われる。
【００４０】
図７は、プレゼンテーションにユーザ入力を補充するための方法を示したフローチャートである。工程７０５で、ビデオ信号がビデオ取り込みモジュール３０５によって受信される。工程７１０で、プレゼンテーションビデオがプレゼンテーションの視聴者に送信される。いくつかの実施形態で、メディアシステム１１５はネットワーク接続を通してある特定のプレゼンテーション表示情報を送信し、該情報が端末又はコンピュータで視聴者に受信され、受信側コンピュータのアプリケーションによって処理されて表示される。工程７２０で、メディアシステムは入出力モジュール３３５を介して視聴者かプレゼンターのいずれか一方から注釈を受け取る。注釈はコメント又は追加のオーバーレイ（マウスあるいは書き込みツールによりスライドに追加される図）であってよい。あるいは、注釈は視聴者から送信される質問あるいはコメントであってもよい。いくつかの実施形態で、その質問又はコメントは画像の所定部分に表示される。
【００４１】
工程７２５で、注釈付きプレゼンテーションが表示される。いくつかの実施形態では、注釈はリアルタイムで表示される。代替の実施形態では、注釈はプレゼンテーション中に集められ、プレゼンターがプレゼンテーションのより早い段階に戻るときに表示される。
【００４２】
工程７３０で、注釈が追加情報４２５に保存されている状態で、スライド画像がデータベース３３０に保存される。
【００４３】
図８は、新たなプレゼンテーション内に保存された内容を利用するための方法を示すフローチャートである。工程８０５で、ユーザは新しいスライドプレゼンテーションの生成を開始する。いくつかの実施形態で、このプレゼンテーションはコンピュータシステム１０５上で生成される。コンピュータシステム上のアプリケーションモジュール（プレゼンテーション生成プログラムの一部であっても、該プログラムから独立していてもよい）は、新しいプレゼンテーションの生成を検出するように構成される。アプリケーションモジュールは、メディアサーバ１１５上のデータベース３３０にアクセスするように構成される。工程８１０で、アプリケーションモジュールは、プレゼンテーション内のテキスト入力にしたがって、プレゼンテーション用の検索用語を判定する。工程８１５で、アプリケーションは、検索用語を用いて関連する内容についてデータベース３３０を検索して、その検索用語を図４に記載の身元情報と他所参照する。工程８２０で、システムは検索用語に整合する画像を与え、ユーザにその画像を含めるよう促す。
【００４４】
工程８２５で、ユーザの許可にしたがって、検索用語はプレゼンテーション内に含まれる。
【００４５】
本発明のその他の特徴、態様、ならびに目的は図面と特許請求の範囲を参照して得ることができる。本発明のその他の実施形態を発展させて、本発明と請求項の趣旨と範囲内に収めるようにすることも可能である。
【００４６】
本発明の好適な実施形態についての上述の説明は、図示と説明のためになされたものであり、本発明の全てを網羅する、すなわち本発明を上述の形態どおりに限定することを意図しない。多くの改良と変更が当業者に自明であることは、いうまでもない。実施形態は、本発明の原則とその実際的な適用を最良に説明するために選択および説明され、これにより、他の当業者は、さまざまな実施形態について、特定の使用に適した様々な改良を含めて理解することができる。本発明の範囲は、添付の特許請求の範囲およびその均等物により定義される。
【００４７】
具体的に構成される集積回路又はその他の電子機器からなる実施形態だけでなく、本発明は、当業者には明らかなように、本発明の開示にしたがってプログラム化された従来の汎用あるいは専用のデジタルコンピュータ又はマイクロプロセッサを用いて好適に実施するようにしてもよい。
【００４８】
適切なソフトウェア符号化は、ソフトウェア当業者には明らかなように、本発明の開示に基づき熟練したプログラマーによって容易に準備することができる。本発明を、当業者には明らかなように、特定用途向け集積回路を準備するか、従来の素子回路からなる適切なネットワークを相互接続することにより実施してもよい。
【００４９】
本発明は、指示が記憶された記憶媒体（メディア）であって、本発明の任意の処理を実行するようにコンピュータをプログラム化するのに用いることができるコンピュータプログラム製品およびプログラム自体を包含する。記憶媒体としては、ただしこれに限定されることはないが、フロッピー（登録商標）ディスク、光ディスク、ＤＶＤ、ＣＤ−ＲＯＭ、マイクロドライブ、光磁気ディスクなどの任意の種類のディスク、ＲＯＭ、ＲＡＭ、ＥＰＲＯＭ、ＥＥＰＲＯＭ、ＤＲＡＭ、ＶＲＡＭ、フラッシュメモリ素子、磁気又は光学カード、（分子メモリＩＣを含む）ナノシステム、又は指示及び／又はデータを保存するのに好適な任意の種類のメディア又は素子が挙げられる。
【００５０】
本発明は、コンピュータ読出し可能な媒体(メディア)のいずれかひとつに保存され、汎用と専用のコンピュータ又はマイクロプロセッサのハードウエアを制御し、コンピュータ又はマイクロプロセッサが本発明の効果を利用してユーザ（人間）あるいはその他の機構と相互作用できるようなソフトウェアを包含する。このようなソフトウェアとしては、ただしこれに限定されないが、素子ドライバ、オペレーティングシステム、ユーザアプリケーションが挙げられる。
【００５１】
本発明の教示を実行するためのソフトウェアモジュールが、汎用又は専用コンピュータ又はマイクロプロセッサのプログラミング（ソフトウェア）に含まれる。
【図面の簡単な説明】
【００５２】
【図１】コンピュータシステム、メディアシステム、表示装置の間の相互作用の１つの実施形態を示す構成図である。
【図２】コンピュータシステム、メディアシステム、表示装置の間の相互作用の別の実施形態を示す構成図である。
【図３】本発明の１つの実施形態にかかるメディアシステムをより詳しく示した構成図である。
【図４】保存したビデオの情報分類のための１つの実施形態の構成図である。
【図５】コンピュータシステムから入力されるプレゼンテーションビデオの処理方法を示すフローチャートである。
【図６】ビデオ入力の分類、保存のための方法を示すフローチャートである。
【図７】プレゼンテーションにユーザの入力を補充するための方法を示すフローチャートである。
【図８】新たなプレゼンテーションにおいて保存した内容を利用するための方法を示すフローチャートである。
【図１】
2006127518.tif 000003
【図２】
2006127518.tif 000004
【図３】
2006127518.tif 000005
【図４】
2006127518.tif 000006
【図５】
2006127518.tif 000007
【図６】
2006127518.tif 000008
【図７】
2006127518.tif 000009
【図８】
2006127518.tif 000010